(57)【要約】【課題】本体キャップと計量キャップとの間の確実な液シール性を確保しうるキャップを提供する。【解決手段】容器本体の口首部に装着される本体キャップ、及び該本体キャップに螺着される計量キャップからなるキャップであって、該本体キャップは、略直筒状胴部を有する液回収用凹部と、該計量キャップを螺着するための雄ネジ壁部とを備え、該計量キャップは、略直筒状胴部を有する液戻し筒部と、該本体キャップに螺着するための接続用筒部と、螺着したときに該本体キャップの雄ネジ壁部をシールする環状突起とを備え、該計量キャップを該本体キャップに螺着した際に、該液戻し筒部の挿入側端部が、該液回収用凹部の略直筒状胴部の内周面に沿うように構成されたキャップである。【選択図】図４
2008162656.tif 000002
【特許請求の範囲】
【請求項１】
容器本体の口首部に装着される本体キャップ、及び該本体キャップに螺着される計量キャップからなるキャップであって、該本体キャップは、略直筒状胴部を有する液回収用凹部と、該計量キャップを螺着するための雄ネジ壁部とを備え、該計量キャップは、略直筒状胴部を有する液戻し筒部と、該本体キャップに螺着するための接続用筒部と、螺着したときに該本体キャップの雄ネジ壁部をシールする環状突起とを備え、該計量キャップを該本体キャップに螺着した際に、該液戻し筒部の挿入側端部が、該液回収用凹部の略直筒状胴部の内周面に沿うように構成されたキャップ。
【請求項２】
計量キャップを本体キャップに挿入する際に、該計量キャップの接続用筒部の挿入側端部と、該挿入側端部に相対する該本体キャップの雄ネジ壁部の頂部とが接触するときに、該計量キャップの液戻し筒部の挿入側端部が、該本体キャップの液回収用凹部の略直筒状胴部の内周面に沿うように構成された、請求項１に記載のキャップ。
【請求項３】
計量キャップの最下部のネジ山と本体キャップの最上部のネジ山とが接触するときに、液戻し筒部の先端と液回収用凹部の略直筒状胴部の先端がほぼ接触するか、又は液戻し筒部の先端が液回収用凹部の略直筒状胴部に挿入されているように構成された、請求項１又は２に記載のキャップ。
【請求項４】
計量キャップと本体キャップのネジが一条ネジ又は多条ネジである、請求項１〜３のいずれかに記載のキャップ。
【発明の詳細な説明】
【技術分野】
【０００１】
本発明は、本体キャップとこれに螺着される計量キャップからなるキャップに関し、詳しくは本体キャップと計量キャップとの間の確実な液シール性を確保しうるキャップに関する。
【背景技術】
【０００２】
液体洗剤、柔軟剤、漂白剤、糊剤等の内容液を収容するボトル容器は、内容液を計量しつつ使用することを考慮し、容器本体の口首部に装着して使用される本体キャップと、該本体キャップに螺着される計量キャップからなるキャップが知られている（例えば、特許文献１参照）。計量キャップは目盛り等を備えており、内容液の種類や使用量に応じて適量を計量できるようになっている。
本体キャップと計量キャップとの螺着は、例えば、本体キャップの外周面に設けられた雄ネジと、計量キャップの内周面に設けられた雌ネジとを螺合することにより行われる。内容液を計量する際には、計量キャップを本体キャップから取り外して使用し、計量後には本体キャップに再度螺着して内容液を密封する。
【０００３】
ところで、店頭販売等の場合、顧客が内容液の匂いを確認する等のためにキャップを開けることがあるが、キャップを閉め直した状態において、本体キャップと計量キャップとの間のシールが不十分であると、容器本体の転倒等によって内容液が漏れ出すことがある。
例えば、特許文献１のキャップでは、図７に示すように、計量キャップ１０を本体キャップ２０に螺着したときに、計量キャップ１０の先端（ａ）は、本体キャップ２０の底部の斜面（ｂ）に当接しており、本体キャップ２０の液回収用凹部２３の略直筒状胴部３０の内周面に沿うように構成されていない。このため、特許文献１のキャップでは、計量キャップ１０が本体キャップ２０に斜めにはまりやすく、この場合には、計量キャップ１０の環状突起１５と本体キャップの雄ネジ壁部２２の頂部内周壁との間に隙間が形成された状態で螺着されることになり、この隙間から液が漏れることになる。
【０００４】
本体キャップと計量キャップとの間の液シール性を確実にするために、計量キャップのネジ山開始部よりも挿入方向側にネジ山が形成されていない案内筒を所定の長さで設け、案内筒によって計量キャップの挿入をまっすぐに誘導することが考えられる。しかし、計量キャップの案内筒の長さと本体キャップの案内筒が収まる筒状部の高さによってキャップが必要以上に長大になり、計量キャップ、本体キャップの成形に必要な樹脂量が多くなるだけでなく、案内筒が計量キャップの注ぎ口側に長く延びるため、計量キャップから注ぐときの邪魔になり注ぎ性も悪くなる。
また、計量キャップと本体キャップのネジのクリアランスを極力小さくして、計量キャップが斜めに螺着され難くすることも考えられるが、高い成形精度を必要とするのみならず、係合時の摩擦抵抗が大きくなりネジの螺合操作がきつくなり、計量キャップを円滑にワンタッチ感覚で着脱するのが困難になるという問題がある。
【０００５】
【特許文献１】特開２００１−１３９０４８号公報
【発明の開示】
【発明が解決しようとする課題】
【０００６】
本発明は、本体キャップと該本体キャップに螺着される計量キャップからなるキャップにおいて、本体キャップと計量キャップとの間の確実な液シール性を確保しうるキャップを提供することを課題とする。
【課題を解決するための手段】
【０００７】
本発明者らは、本体キャップと計量キャップの液回収部分を特定構造にすることにより、構造を複雑化することなく、計量キャップに設けた環状突起により確実な液シール性を確保し、かつ円滑に着脱しうることを見出した。
すなわち、本発明は、容器本体の口首部に装着される本体キャップ、及び該本体キャップに螺着される計量キャップからなるキャップであって、該本体キャップは、略直筒状胴部を有する液回収用凹部と、該計量キャップを螺着するための雄ネジ壁部とを備え、該計量キャップは、略直筒状胴部を有する液戻し筒部と、該本体キャップに螺着するための接続用筒部と、螺着したときに該本体キャップの雄ネジ壁部をシールする環状突起とを備え、該計量キャップを該本体キャップに螺着した際に、該液戻し筒部の挿入側端部が、該液回収用凹部の略直筒状胴部の内周面に沿うように構成されたキャップである。
【発明の効果】
【０００８】
本発明のキャップによれば、構造を複雑化することなく、本体キャップと計量キャップとの間の確実な液シール性を確保し、かつ計量キャップを円滑に着脱することができる。
【発明を実施するための最良の形態】
【０００９】
計量キャップと本体キャップとの間の液シール性は、計量キャップに設けられた環状突起が本体キャップの内壁に液密に接触するように、計量キャップが本体キャップに螺着されることによって達成される。ここで、計量キャップが本体キャップに斜めに螺着されることがないように構成すれば、本体キャップと計量キャップとの間の液シール性を確保することができる。
そこで、本発明のキャップは、本体キャップは、略直筒状胴部を有する液回収用凹部と、該計量キャップを螺着するための雄ネジ壁部とを備え、該計量キャップは、略直筒状胴部を有する液戻し筒部と、該本体キャップに螺着するための接続用筒部と、螺着したときに該本体キャップの雄ネジ壁部をシールする環状突起とを備え、該計量キャップを該本体キャップに螺着した際に、該液戻し筒部の挿入側端部が、該液回収用凹部の略直筒状胴部の内周面に沿うように構成して、計量キャップが本体キャップに真っ直ぐに挿入されて螺着されるように誘導し、計量キャップの環状突起が本体キャップの雄ネジ壁部の内周壁に密着するようにするものである。
【００１０】
本発明のキャップの実施形態について、図面を参照して説明する。
図１は、計量キャップの一形態を示す縦断面図であり、図２は、本体キャップの一形態を示す縦断面図である。図３は、図１の計量キャップを図２の本体キャップに螺着させた状態を示す縦断面図であり、図４は、本発明（図３）を説明するための拡大図である。また、図５は、図２の本体キャップの平面図であり、図６は、図５の平面図におけるＸ−Ｙ−Ｚ断面図である。
図１に示す計量キャップ１０、及び図２に示す本体キャップ２０は、例えばポリエチレン樹脂、ポリプロピレン樹脂、その他の合成樹脂等を射出成形等して形成されるものであり、本体キャップ２０は容器本体の口首部に装着固定され、計量キャップ１０は本体キャップ２０に螺着された状態で流通され使用される。
なお、本体キャップ２０は、雄ネジ及び雌ネジを介して容器本体の口首部に螺合されるものでもよいが、嵌合凹凸部によって嵌合装着されるものが好ましい。
【００１１】
図１において、計量キャップ１０は、液溜め膨出部１１と、本体キャップ２０への挿入方向を注ぎ口１２とする液戻し筒部１３と、本体キャップ２０に螺着するための接続用筒部１４を有している。液溜め膨出部１１は、主として計量される液体洗剤等を貯留する部分であり、液溜め膨出部１１と液戻し筒部１３には計量用の目盛りが適宜形成されている。接続用筒部１４は、計量キャップ１０の外周から張り出してスカート状に本体キャップ２０への挿入方向に延びて形成され、接続用筒部１４の内周壁には、本体キャップ２０に螺着するための雌ネジが形成されている。
環状突起１５は、計量キャップ１０を本体キャップ２０に螺合装着する際に、計量キャップ１０の注ぎ口１２から液戻し筒部１３の外周面に内溶液が液だれした場合でも、内溶液が計量キャップ１０の接続用筒部１４に形成された雌ネジに付着するのを防止すると共に、計量キャップ１０を本体キャップ２０に螺着したときに、本体キャップ２０の雄ネジ壁部２２の頂部の内周面を圧接することにより、液漏れを防止する機能を有する。
【００１２】
一方、本体キャップ２０は、図２に示すように、容器本体の口首部（図示せず）の外周面を覆って螺着されるスカート壁部２１と、スカート壁部２１の天井部から上方に突出してスカート壁部２１よりも小さな径で同心状に設けられ、外周面に雄ネジが形成された雄ネジ壁部２２と、雄ネジ壁部２２の下端部から容器本体の口首部の内周面に沿うようにして下方に延設される液回収用凹部２３と、斜めに傾斜する底面板２４を有する椀状の受け皿部２５を有する。
【００１３】
受け皿部２５は、ボトル容器の口首部の内側に挿入配置される椀状部分であって、斜めに傾斜する底面板２４には、その最も低い部分に液戻し開口２７（図５及び６参照）が形成されている。そして計量キャップ１０を使用後、再度螺着した際に、計量キャップ１０内に残留する余剰液を、液戻し開口２７を介して容器本体内に回収できるようになっている。
底面板２４の略中央部分には、底面板２４から本体キャップ２０の雄ネジ壁部２２の上方まで突出させて注出ノズル２６が設けられており、注出ノズル２６は、その基端部において底面板２４に開口形成した流出開口２８と連通しており、断面形状が小さくなったその先端注出口を介して、計量キャップ１０に液体洗剤等を円滑に注出することができるようになっている。
図５及び６において、注出ノズル２６の側壁には液戻し用スリット２９が設けられており、液戻し用スリット２９は液戻し開口２７に連通している。
【００１４】
本体キャップ２０の液回収用凹部２３は、頂部の側の内径が広く、中央に略直筒状胴部３０を有し、下部の受け皿部２５がいわゆるすりばち状に形成されている。これは、成形性、つめかえ性、計量キャップ１０の挿入性のためである。本体キャップ２０の成形時に頂部側から金型を抜く関係上、すりばち状の方が成形性が向上し、液回収用凹部２３の頂部側から詰替え用パウチ等により液を注入する関係上、開口が広い方がつめかえ性が向上する。計量キャップ１０の挿入性も、液回収用凹部２３の頂部の開口が広い方が、計量キャップ１０の液戻し筒部１３を液回収用凹部２３に挿入しやすい。
【００１５】
一方、計量キャップ１０の液戻し筒部１３も略直筒状胴部３１を有しており、本体キャップ２０の液回収用凹部２３内に納まる大きさの外径（液回収用凹部２３の略直筒状胴部３０より小径）とされている。このため、計量キャップ１０を本体キャップ２０に螺着させると、計量キャップ１０の液戻し筒部１３が本体キャップ２０の液回収用凹部２３の内側に、接触するか又は僅かな壁間を開けた状態で配置されるようになっている。
【００１６】
計量キャップ１０を本体キャップ２０に挿入する際に、計量キャップ１０の接続用筒部１４の挿入側端部と、該挿入側端部に相対する本体キャップ２０の雄ネジ壁部２２の頂部とが接触するときに、計量キャップ１０の液戻し筒部１３の挿入側端部が、本体キャップ２０の液回収用凹部２３の略直筒状胴部３０の内周面に沿うように、換言すると、内周面に接触しているか、又はほぼ接触する位置にあるように構成されている。例えば、図４において、液回収用凹部２３の略直筒状胴部３０の上端部内径（Φa1）と、液戻し筒部１３の略直筒状胴部３１の下端部外径（Φb2）との差の１／２は０．５ｍｍである。このため、計量キャップ１０を本体キャップ２０に螺着する際に、計量キャップ１０が本体キャップ２０に真っ直ぐに挿入されて螺着するように誘導され、計量キャップ１０の接続用筒部１４の内側に設けられた環状突起１５によって、本体キャップ２０の雄ネジ壁部２２の頂部の全周が完全に密着されて液シール性が確保され、液漏れが生じることがない。
すなわち、計量キャップ１０と本体キャップ２０の間の液シール性は、計量キャップ１０を本体キャップ２０に螺着したときに、計量キャップ１０の環状突起１５が、本体キャップ２０の雄ネジ壁部２２の頂部の内周面に圧接されるため、隙間が生じないことにより確保される。
【００１７】
また、計量キャップ１０を本体キャップ２０に挿入する際に、計量キャップ１０の接続用筒部１４の挿入側端部と、該挿入側端部に相対する本体キャップ２０の雄ネジ壁部２２の頂部とが同一面上にあるときに、計量キャップ１０の液戻し筒部１３の挿入側端部が、本体キャップ２０の液回収用凹部２３の略直筒状胴部３０の内周面に接触しているか、又はほぼ接触する位置にあるように構成されることが好ましい。
また、計量キャップ１０の接続用筒部１４に形成された雌ネジの最下部のネジ山と、本体キャップ２０の雄ネジ壁部２２に形成された雄ネジの最上部のネジ山とが接触するときに、液戻し筒部１３の先端と液回収用凹部２３の略直筒状胴部３０の先端がほぼ接触するか、又は液戻し筒部１３の先端が液回収用凹部２３の略直筒状胴部３０に挿入されているように構成されることが好ましい。
【００１８】
本体キャップ２０の雄ネジ壁部２２に設ける雄ネジと、計量キャップ１０のスカート状の接続用筒部１４に設ける雌ネジに特に制限はなく、一条ネジ又は多条ネジを用いることができる。着脱の円滑性、迅速性の観点からは、多条ネジを採用することが好ましい。
【００１９】
本発明のキャップは上記のように構成されているので、構造を複雑化することなく、本体キャップと計量キャップの斜め締めを効果的に防止して確実な液シール性を確保し、かつ計量キャップを円滑に着脱することができる。
【図面の簡単な説明】
【００２０】
【図１】計量キャップの一形態を示す縦断面図である。
【図２】本体キャップの一形態を示す縦断面図である。
【図３】図１の計量キャップを図２の本体キャップに螺着させた状態を示す縦断面図である。
【図４】本発明（図３）を説明するための拡大図である。
【図５】図２の本体キャップの平面図である。
【図６】図５の平面図におけるＸ−Ｙ−Ｚ断面図である。
【図７】従来技術のキャップを示す縦断面図である。
【符号の説明】
【００２１】
１：キャップ
１０：計量キャップ
１１：液溜め膨出部
１２：注ぎ口
１３：液戻し筒部
１４：接続用筒部
１５：環状突起
２０：本体キャップ
２１：スカート壁部
２２：雄ネジ壁部
２３：液回収用凹部
２４：底面板
２５：受け皿部
２６：注出ノズル
３０：液回収用凹部の略直筒状胴部
３１：液戻し筒部の略直筒状胴部
【図１】
2008162656.tif 000003
【図２】
2008162656.tif 000004
【図３】
2008162656.tif 000005
【図４】
2008162656.tif 000006
【図５】
2008162656.tif 000007
【図６】
2008162656.tif 000008
【図７】
2008162656.tif 000009